(57)【要約】【課題】製氷水が収容されるトレーを支持する一方、そのトレーを回転させる回転駆動部にトレー及び製氷水の荷重が集中させることを分散できてトレーの支持及び回転時回転駆動部の損傷を防止できる構造を有する製氷機を提供する。【解決手段】本発明に係る製氷機は冷却システムを備える製氷機本体と、冷却システムの駆動時その周辺を冷却させる蒸発管と、製氷機本体の内部に回転自在に設けられ製氷水を収容するトレーと、蒸発管上に設けられ蒸発管の冷却時トレーに収容された製氷水に浸漬され氷を生成させる複数の製氷突起と、トレーを支持する一方一定範囲内でトレーを回転させる回転駆動部と、トレーが第１位置に置かれた時、そのトレーを固定させるロッキングユニットとを含む。【選択図】      図３
2004309106.tif 000002
【特許請求の範囲】
【請求項１】
冷却システムを備える製氷機本体と、
前記冷却システムと連結された状態に前記製氷機本体の内部に設けられ、前記冷却システムの駆動時その周辺を冷却させる蒸発管と、
前記製氷機本体の内部に回転自在に設けられ、製氷水を収容するトレーと、
前記蒸発管上に設けられ、前記蒸発管の冷却時前記トレーに収容された製氷水に浸漬され氷を生成させる複数の製氷突起と、
前記トレーを支持する一方、前記トレーが前記製氷突起の前記製氷水に浸漬される位置である第１位置と、前記製氷突起から離隔された状態である第２位置にそれぞれ位置されるよう前記トレーを回転させる回転駆動部と、
前記トレーが回転され前記第１位置に置かれた場合、前記トレーが前記第１位置で固定されるよう前記トレーを取外し自在に支持するロッキングユニットと、を備える製氷機。
【請求項２】
前記ロッキングユニットは、
前記製氷機本体の内部に回転自在に設けられ、前記トレーと取り外し自在に結合されるフック部が一側に設けられるロック部材と、
前記フック部と前記トレーが相互結合されたり分離される方向に前記ロック部材を回転させるロッキング解除ユニットとを備えることを特徴とする請求項１に記載の製氷機。
【請求項３】
前記ロッキング解除ユニットは、
その一側にソレノイドロッドが往復動自在に突出形成されたソレノイド本体と、
前記ソレノイドロッドの往復移動時、前記ロック部材が回動されるよう前記ソレノイドロッドと前記ロック部材を連結する連結部材とを備えることを特徴とする請求項２に記載の製氷機。
【請求項４】
前記回転駆動部は、
前記製氷機本体の一側に設けられた回転モータと、
前記トレーを回転自在に支持し、その終端が前記回転モータと連結され前記回転モータの回転駆動時これに連動して前記トレーを回転させる連接棒と、
前記冷却システムの駆動に対応して前記第１及び第２位置のうちいずれか一つの位置に前記トレーが回転されるよう前記回転モータの駆動を制御する制御部とを備えることを特徴とする請求項３に記載の製氷機。
【請求項５】
前記制御部は、
前記トレーの位置に対応して前記ロッキング解除ユニットの駆動を制御することを特徴とする請求項４に記載の製氷機。
【請求項６】
前記制御部は、
前記冷却システムの駆動による前記製氷突起の冷却が始まる時、前記第１位置に前記トレーが置かれるよう前記回転モータを駆動させた後、前記フック部と係止片が結合される方向に前記ロック部材が回動されるよう前記ソレノイド本体を駆動させることを特徴とする請求項５に記載の製氷機。
【請求項７】
前記制御部は、
前記製氷水の冷却により前記製氷突起に所定大きさの氷が生成された場合、前記フック部と係止片の結合が解除される方向に前記ロック部材が回動されるよう前記ソレノイド本体を駆動させた後、前記第２位置に前記トレーが置かれるよう前記回転モータを駆動させることを特徴とする請求項６に記載の製氷機。
【請求項８】
前記制御部は、
前記トレーが回転され前記第２位置に置かれた後既に設定された所定時間以降に前記トレーが前記第１位置に置かれるよう再び前記回転モータを駆動させた後、前記フック部と前記係止片が結合される方向に前記ロック部材が回動されるよう前記ソレノイド本体を駆動させることを特徴とする請求項６に記載の製氷機。
【請求項９】
前記ソレノイド本体は、前記蒸発管の上部を覆うよう前記製氷機本体の内部にさらに設けられるカバーの上面に設けられ、
前記ロック部材は前記カバーの一側に回転自在に設けられることを特徴とする請求項３に記載の製氷機。
【請求項１０】
前記トレーは、
前記回転駆動部と連結された状態に前記カバーに回転自在に設けられることを特徴とする請求項９に記載の製氷機。
【請求項１１】
前記カバーには前記ベースフレームが回転自在にさらに設けられ、
前記ベースフレームの一側には前記ロック部材のフック部に対応する係止突起が突出形成され、
前記トレーは前記ベースフレームに揺動自在に設けられることを特徴とする請求項１０に記載の製氷機。
【請求項１２】
前記連接棒は前記ベースフレームと前記回転モータとを連結することを特徴とする請求項４または１１に記載の製氷機。
【発明の詳細な説明】
【０００１】
【発明の属する技術分野】
通常、製氷機は製氷機本体の内外部から供給される製氷水を冷却させ氷を生成させる装置である。
【０００２】
【従来の技術】
図１及び図２に示した通り、従来の製氷機１００は製氷機本体１１０と、冷却システムと、製氷ユニット１２０を含む（特許文献１参照）。
【０００３】
これを参照すれば、冷却システムは圧縮機１９０と、凝縮機（図示せず）、蒸発管１２１を含み、その駆動時蒸発管１２１の周辺を冷却させることにより、これと連結された製氷ユニット１２０で氷を生成させる。
【０００４】
製氷ユニット１２０は前述した蒸発管１２１上に設けられる冷却基板１２３と、冷却基板１２３の下面に突出形成され蒸発管１２１と結合される複数の製氷突起１２５と、冷却基板１２３の下部に設けられ氷の製造時製氷突起１２５が浸漬される製氷水を収容するトレー１３０と、トレー１３０を回転駆動自在に支持する回転駆動部１４０を備える。
【０００５】
ここで、回転駆動部１４０は製氷突起１２５で生成された氷Ｐが氷貯蔵庫１５０に投下されることがトレー１３０により妨害されないようトレー１３０を、図２に示したように、回転させたり元の位置に復帰させたりするためのものである。そのため、回転駆動部１４０は回転モータ１４１とトレー１３０を回転モータ１４１に連結して回転モータ１４１の回転駆動時トレー１３０を回転させる連接棒１４３を含む。これによれば、トレー１３０は製氷突起１２５が製氷水に浸漬される第１位置や、氷Ｐの排出のために下向き回転された状態である第２位置の両方で連接棒１４３によってだけ支持される。
【０００６】
前述したように構成された従来の製氷機１００は、トレー１３０の支持が連接棒１４３によってだけなされるため、トレー１３０の重さによる荷重を連接棒１４３が全て堪えるべきである。前述したように、製氷機１００の駆動時前記荷重により連接棒１４３の形状が変形されたり、回転モータ１４１が損傷されることにより製氷機１００の信頼性が低下される恐れがある。特に、製氷水が供給される第１位置にトレー１３０が置かれた場合、その製氷水の重さによる荷重まで連接棒１４３が全て堪えるべきであり、氷の生成時白濁が形成されることを防止するためにトレー１３０を流動させる場合、前述した問題点が発生する可能性がさらに高まる問題点がある。
【０００７】
【特許文献１】
韓国特許出願第２００２−７８０７４号
【０００８】
【発明が解決しようとする課題】
本発明は前述した問題点を解決するために案出されたもので、その目的はトレーを支持すると同時に回転させるための連接棒及び回転モータの損傷を防止するために連接棒に集中するトレー及び製氷水の荷重を分散支持できるようその構造が改良された製氷ユニットを有する製氷機を提供することにある。
【０００９】
【課題を解決するための手段】
前述した目的を達成するための本発明に係る製氷機は、冷却システムを備える製氷機本体と、前記冷却システムと連結された状態に前記製氷機本体の内部に設けられ、前記冷却システムの駆動時その周辺を冷却させる蒸発管と、前記製氷機本体の内部に回転自在に設けられ、製氷水を収容するトレーと、前記蒸発管上に設けられ、前記蒸発管の冷却時前記トレーに集水された製氷水に浸漬され氷を生成させる複数の製氷突起と、前記トレーが前記製氷突起が前記製氷水に浸漬される位置である第１位置及び前記製氷突起から離隔された状態である第２位置にそれぞれ位置されるよう前記トレーを回転させる回転駆動部と、前記トレーが回転され前記第１位置に置かれた場合、前記トレーが前記第１位置で固定されるよう前記トレーを取り外し自在に支持するロッキングユニットを含む。
【００１０】
これによれば、前記トレーと製氷水の荷重が前記回転駆動部と前記ロッキングユニットにより分散された状態に前記トレーが支持できて、前記回転駆動部に集中されたトレーと製氷水の荷重による回転駆動部の損傷を防止できる。
【００１１】
本発明の望ましい実施例によれば、前記ロッキングユニットは前記製氷機本体の内部に回転自在に設けられ、前記トレーと取り外し自在に結合されるフック部が一側に設けられるロック部材と、前記フック部と前記トレーが相互結合されたり取り外される方向に前記ロック部材を回転させるロッキング解除ユニットを含む。
【００１２】
ここで、前記ロッキング解除ユニットは、前記製氷機本体の一側に設けられ、一側にソレノイドロッドが往復移動自在に突出形成されたソレノイド本体と、前記ソレノイドロッドの往復動時前記ロック部材が回動されるよう前記ソレノイドロッドと前記ロック部材を連結する連結部材を含むことが望ましい。
【００１３】
そして、前記回転駆動部は前記製氷機本体の一側に設けられた回転モータと、前記トレーを回転自在に支持し、その終端が前記回転モータと連結され前記回転モータの回転駆動時これに連動して前記トレーを回転させる連接棒と、前記冷却システムの駆動に対応して前記第１及び第２位置のうちいずれか一つの位置に前記トレーが回転されるよう前記回転モータの駆動を制御する制御部を含むことが望ましい。
【００１４】
ここで、前記制御部は、前記回転モータの駆動により回転される前記トレーの位置に対応して前記ロッキング解除ユニット、すなわちソレノイド本体の駆動を制御することがさらに望ましい。
【００１５】
すなわち、前記制御部は、前記冷却システムの駆動により前記製氷突起の冷却が始まる時、前記第１位置に前記トレーが位置するよう前記回転モータを駆動させた後、前記フック部と係止片が結合される方向に前記ロック部材が回動されるよう前記ソレノイド本体を駆動させることが望ましい。
【００１６】
そして、前記制御部は、前記製氷水の冷却により前記製氷突起上に所定大きさの氷が生成された場合、前記フック部と前記係止片の結合が解除される方向に前記ロック部材が回動されるよう前記ソレノイド本体を駆動させた後、前記第２位置に前記トレーが位置するよう前記回転モータを駆動させることが望ましい。
【００１７】
また、前記制御部は、前記トレーが回転され前記第２位置に置かれた後既に設定された所定時間以降に前記トレーが前記第１位置に置かれるよう再び前記回転モータを駆動させた後、前記フック部と前記係止片が結合される方向に前記ロック部材が回動されるよう前記ソレノイド本体を駆動させることがさらに望ましい。
【００１８】
一方、前記ソレノイド本体は前記蒸発管の上部を覆うよう前記製氷機本体の内部に設けられるカバーの上面に設けられ、前記ロック部材は前記カバーの一側に回転自在に設けられることが望ましい。
【００１９】
また、前記トレーは、前記回転駆動部と連結された状態に前記カバーに回転自在に設けられることが望ましく、前記トレーは前記カバーに回転自在に設けられるベースフレームに揺動自在に設けられ、前記ベースフレームの一側には前記ロック部材のフック部に対応する係止片が突出形成されることがさらに望ましい。
【００２０】
ここで、連接棒は前記ベースフレームと前記回転モータとを連結することがさらに望ましい。
【００２１】
【発明の実施の形態】
以下、添付した図面に基づき本発明の望ましい実施例を詳述する。参考に、本発明の実施例を説明するに当たって、図１及び図２に示しかつ説明された従来の製氷機の構成要素と同一な構成及び機能を有する製氷機の構成要素については従来と同様な参照符号を付して引用し、それに対する詳細な説明は省く。
【００２２】
図３及び図４を参照すれば、本発明の望ましい実施例による製氷機１００の製氷ユニット２２０は、蒸発管１２１と製氷突起１２５とトレー２２１と回転駆動部２４０とロッキングユニット２３０を含む。
【００２３】
蒸発管１２１は製氷機本体１１０の内部に設けられる冷却システムの一部を担うよう圧縮機１９０（図１参照）と、凝縮機（図示せず）にその両端がそれぞれ連結され、冷却システムの駆動時、その内部を循環する冷媒により周辺を冷却させる。
【００２４】
製氷突起１２５は蒸発管１２１上に複数で設けられ冷却システムの駆動時蒸発管１２１により冷却される。ここで、製氷突起１２５は冷却基板１２３により蒸発管１２１に結合される。すなわち製氷突起１２５は蒸発管１２１に結合される冷却基板１２３の下面から突出形成されることにより蒸発管１２１に結合される。
【００２５】
トレー２２１は氷の製造に必要な製氷水を収容するためのもので、第１ヒンジ部２２７により製氷機本体１１０の内部に回転自在に設けられる。これによれば、トレー２２１は第１ヒンジ部２２７と、後述する連接棒２４３によりその荷重が分散されたまま支持される。このようなトレー２２１は、図２に示した従来の場合のように、製氷機本体１１０（図１参照）の内部に直接に回転自在に設けられても良く、本実施例では製氷機本体１１０の内部に回転自在に設けられるベースフレーム２２５の上部に弾力的な上下揺動が可能なように支持された場合を例として説明する。この場合、第１ヒンジ部２２７はベースフレーム２２５の一側に連結される。これによれば、ベースフレーム２２５が製氷機本体１１０の内部で第１ヒンジ部２２７を回転中心に回転する場合、ベースフレーム２２５の上部に設けられたトレー２２１もベースフレーム２２５と共に回転される。このようなトレー２２１の回転はトレー２２１に収容される製氷水に製氷突起１２５が浸漬できる位置である第１位置（図５参照）と、製氷突起１２５から分離される氷の降下を防止しない位置である第２位置（図７参照）間でなされることが望ましい。一方、未説明符号２６０は氷Ｐ（図５参照）の製造時トレー２２１を上下揺動させ製氷突起１２５で生成される氷Ｐに白濁が発生することを防止するためのカム駆動部である。
【００２６】
回転駆動部２４０は回転モータ２４１と連接棒２４３と制御部２４５を含む。回転モータ２４１は製氷機本体１１０の一側に固定され、その一側に連結された連接棒２４３が第１ヒンジ部２２７と結合される。これによれば、連接棒２４３はトレー２２１を回転自在に支持すると同時に、回転モータ２４１の駆動時トレー２２１を回転させ前記第１及び第２位置のうちいずれか一つの位置にトレー２２１を置かせる。このような回転モータ２４１の駆動は前記冷却システムの駆動に連動される制御部２４５により制御される。すなわち、制御部２４５は前記冷却システムの駆動により製氷突起１２５が冷却される場合、その製氷突起１２５が前記製氷水に浸漬されるよう回転モータ２４１を駆動させ、トレー２２１を前記第１位置に置かせ（図５参照）、製氷突起１２５上に氷Ｐが所定大きさに形成された場合、トレー２２１が前記第２位置に置かれるよう（図７参照）、回転モータ２４１を駆動させ氷Ｐの落下が妨害されないようにする。前記氷Ｐの大きさ感知は前記カム駆動部２６０の駆動を感知できる別のセンサユニット（図示せず）を設けることにより可能にするなど、氷Ｐの大きさの感知のために多様な装置及び方法の応用が可能になるため、ここでは詳細な説明を省く。一方、制御部２４５はトレー２２１が前記第２位置に置かれた状態で、氷Ｐの投出が完了される既に設定された時間が経過した後は第１位置にトレー２２１が復帰されるよう回転モータ２４１を駆動させることが望ましい。
【００２７】
ロッキングユニット２３０は回転モータ２４１の回転駆動によりトレー２２１が第１位置に置かれる場合、その第１位置でトレー２２１を取り外し可能に支持して連接棒２４３に集中されるトレー２２１と製氷水の荷重を分散させるためのものである。このため、ロッキングユニット２３０はロック部材２３１とロッキング解除ユニット２５０を含む。
【００２８】
ロック部材２３１は冷却基板１２３の上部を覆うよう製氷機本体１１０に固定されるカバー２３２の一側に第２ヒンジ部２３５と装着孔２３２ａの結合により回動自在に設けられる。そして、ロック部材２３１の下端にはフック部２３３が突出形成される。フック部２３３はトレー２２１が第１位置に置かれている際、トレー２２１の一側に形成された係止突起２２６に取り外し自在に結合されロック部材２３１がトレー２２１を支持できるようにする。前述した係止突起２２６及びフック部２３３の構成は本実施例の構成にだけ限定されず、ロック部材２３１の回動に伴って相互分離自在に結合されトレー２２１を支持することができるならばこれに対する多様な変形実施が可能である。
【００２９】
ロッキング解除ユニット２５０は製氷突起１２５により氷Ｐの製造が完了された状態でフック部２３３と係止突起２２６の結合を解除させ、回転モータ２４１の回転駆動に対応してトレー２２１を回転させることを可能にするためのもので、ソレノイド本体２５１と連結部材２５５を含む。
【００３０】
ソレノイド本体２５１はカバー２３２の上面に設けられた装着部２３２ｂに設けられる。ソレノイド本体２５１の一側にはソレノイド本体２５１の駆動に連動して往復動するソレノイドロッド２５３が出没自在に突出形成される。図６に示した通り、ソレノイドロッド２５３はその終端が連結部材２５５によりロック部材２３１に固定され、ソレノイド本体２５１の駆動時、これに連動してロック部材２３１を回動させる。ここで、ロック部材２３１はトレー２２１が第１位置に置かれ、製氷突起１２５による氷の生成が始まる瞬間には係止突起２２６及びフック部２３３が相互フック結合される方向に、製氷突起１２５による氷の製造が完了された状態ではフック部２３３と係止突起２２６の結合が解除される方向に回動される。このようなソレノイド本体２５１は前述した回転駆動部２４０の制御部２４５によりその駆動が制御されることが望ましい。すなわち、制御部２４５は回転モータ２４１によりトレー２２１が前記第１位置に置かれた場合、フック部２３３と係止突起２２６が結合される方向にロック部材２３１が回転される方向に駆動されるようソレノイド本体２５１を制御することが望ましい。そして、制御部２４５は製氷突起１２５による氷Ｐの製造が完了された状態で、まずソレノイド本体２５１を駆動させフック部２３３と係止突起２２６の結合を解除させた後、第２位置にトレー２２１が位置されるよう回転モータ２４１の駆動を制御することが望ましい。
【００３１】
以上ではロッキングユニット２３０が製氷機本体１１０の内部に回動自在に設けられたロック部材２３１と、ロッキング解除ユニットとして使用されるソレノイド本体２５１を含む場合に限って説明したが、必ずしもこれに限定されない。すなわち、トレー２２１が第１位置に存する際、そのトレー２２１を取り外し自在に支持してトレー２２１の重さによる荷重が連接棒２４３に集中されることが抑えられ、製氷が完了された状態でそのロックの解除が可能な構成ならばいずれを使用しても良いことは勿論である。例えば、図示していないが、ソレノイド本体２５１が製氷機本体１１０の内部に所定のブラケット（図示せず）により支持され、ロック部材２３１も製氷機本体１１０の内部の所定位置に回動自在に設けられ、ソレノイド本体２５１の駆動時ロック部材２３１が回動してベースフレーム２２５、またはトレー２２１の一側に突出形成された係止突起２２６がロック部材２３１のフック部２３３とフック結合できるよう設けられれば前述した実施の形態による機能及び効果を両方具現できることは勿論である。
【００３２】
【発明の効果】
以上述べた通り、本発明によれば製氷突起が製氷水に浸漬できる第１位置にトレーが回転された状態で、トレーがロッキングユニットと連接棒及び第１ヒンジ部によりその荷重が分散された状態に支持される。また、製氷突起から氷が投下される時、トレーが第２位置に回転された状態では第１ヒンジ部及び連接棒によりその荷重が分散された状態に支持される。これによれば、トレー及び製氷水の重さによる回転モータまたは回転軸の損傷を防止できる効果を奏でる。
【００３３】
以上本発明を本発明の原理を例示するための望ましい実施例について示しかつ説明したが、本発明はそのように示しかつ説明されたそのままの構成及び作用に限られない。かえって、特許請求の範囲の思想及び範疇を逸脱せず本発明に対する多様な変更及び修正が可能なことを当業者はよく理解できろう。従って、そのような全ての適切な変更と修正及び均等物も本発明の権利範囲に属すると見做されるべきである。
【図面の簡単な説明】
【図１】従来の製氷機の構造を概略的に示す斜視図である。
【図２】図１の製氷ユニットの動作状態を概略的に示す側面図である。
【図３】本発明の望ましい実施例による製氷機の製氷ユニットを示す分離斜視図である。
【図４】図３の製氷ユニットが組立てられた状態を示す斜視図である。
【図５】図４のＩ−Ｉ線に沿った製氷ユニットのロッキングユニットの動作状態を順次に示す断面図である。
【図６】図４のＩ−Ｉ線に沿った製氷ユニットのロッキングユニットの動作状態を順次に示す断面図である。
【図７】図４のＩ−Ｉ線に沿った製氷ユニットのロッキングユニットの動作状態を順次に示す断面図である。
【符号の説明】
１００    製氷機
１１０    製氷機本体
１２１    蒸発管
１２３    冷却基板
１２５    製氷突起
２２０    製氷ユニット
２２１    トレー
２２５    ベースフレーム
２２６    係止突起
２２７    第１ヒンジ部
２３０    ロッキングユニット
２３１    ロック部材
２３２    カバー
２３２ａ  装着孔
２３２ｂ  装着部
２３３    フック部
２３５    第２ヒンジ部
２４０    回転駆動部
２４１    回転モータ
２４３    連接棒
２４５    制御部
２５０    ロッキング解除ユニット
２５１    ソレノイド本体
２５３    ソレノイドロッド
２５５    連接部材
２６０    カム駆動部
Ｐ        氷
【図１】
2004309106.tif 000003
【図２】
2004309106.tif 000004
【図３】
2004309106.tif 000005
【図４】
2004309106.tif 000006
【図５】
2004309106.tif 000007
【図６】
2004309106.tif 000008
【図７】
2004309106.tif 000009